(57)【要約】【課題】表示モードの違いに応じ、異なる輝度に表示モジュールを設定することが可能な表示装置の輝度の制御方法およびその装置を提供する。【解決手段】表示方法は、映像の水平走査周波数および垂直走査周波数を取得するステップ（＃１０１）と、水平走査周波数および垂直走査周波数に基づき、映像の表示モードを判定するステップ（＃１０４）と、映像の表示モードが第１のモードであるとき、表示モジュールの輝度を第１の輝度に設定し、表示モジュールが第１の輝度を用いて映像を表示するステップ（＃１０５）と、映像の表示モードが第２のモードであるとき、表示モジュールの輝度を第１の輝度よりも明るい第２の輝度に設定し、表示モジュールが第２の輝度を用いて映像を表示するステップ（＃１０６）と、を含む。【選択図】図１
2010061094.tif 000002
【特許請求の範囲】
【請求項１】
映像の水平走査周波数および垂直走査周波数を取得するステップと、
取得した前記水平走査周波数および前記垂直走査周波数に基づき、前記映像の表示モードを取得するステップと、
前記映像の前記表示モードが第１のモードであるとき、表示モジュールの輝度を第１の輝度に設定し、前記表示モジュールが前記第１の輝度を用いて前記映像を表示するステップと、
前記映像の前記表示モードが第２のモードであるとき、前記表示モジュールの輝度を前記第１の輝度よりも明るい第２の輝度に設定し、前記表示モジュールが前記第２の輝度を用いて前記映像を表示するステップと、を含むことを特徴とする表示方法。
【請求項２】
前記映像の前記表示モードを取得するステップは、
前記水平走査周波数および前記垂直走査周波数に基づき、走査周波数表を調査して、前記映像の前記表示モードを取得することを含むことを特徴とする請求項１に記載の表示方法。
【請求項３】
前記映像の前記表示モードを取得する前に、前記映像の走査モードがインターレース走査モードであるか否かを判断するステップと、
前記映像の前記走査モードが前記インターレース走査モードである場合、前記表示モジュールの輝度を前記第２の輝度に設定し、前記表示モジュールが前記第２の輝度を用いて前記映像を表示するステップと、をさらに含むことを特徴とする請求項１に記載の表示方法。
【請求項４】
表示モジュールと、映像信号を受信するために用いられる映像信号受信装置と、映像モード判断装置を有する映像処理ユニットと、を備えた表示装置であって、
前記映像モード判断装置は、
前記映像信号受信装置によって受信された映像信号の水平走査周波数および垂直走査周波数に基づき、走査周波数表を調査して、前記映像信号の表示モードを判断し、
前記映像信号の表示モードが第１のモードであるときに、前記表示モジュールの輝度を第１の輝度に設定し、
前記映像信号の表示モードが第２のモードであるときに、前記表示モジュールの輝度を、前記第１の輝度よりも明るい第２の輝度に設定することを特徴とする表示装置。
【請求項５】
表示モジュールに映像を表示するステップと、
前記映像の走査モードがインターレース走査モードであるか否かを判断するステップと、
前記映像の前記走査モードが前記インターレース走査モードであるときに、前記表示モジュールの輝度を上げるステップと、を含むことを特徴とする表示方法。
【請求項６】
前記映像の水平走査周波数および垂直走査周波数を取得するステップと、
前記映像の前記走査モードが前記インターレース走査モードでないとき、前記水平走査周波数および前記垂直走査周波数に基づき、前記映像の表示モードが映像モードであるか否かを判断するステップと、
前記映像の前記表示モードが前記映像モードであるときに、前記表示モジュールの輝度を上げるステップと、をさらに含むことを特徴とする請求項５に記載の表示方法。
【請求項７】
前記映像の前記表示モードが前記映像モードであるか否かを判断するステップは、
前記水平走査周波数および前記垂直走査周波数に基づき、走査周波数表を調査して、前記映像の前記表示モードが前記映像モードであるか否かを判断することを含むことを特徴とする請求項６に記載の表示方法。
【請求項８】
表示モジュールと、映像信号を受信するために用いられる映像信号受信装置と、走査モード判断装置を有する映像処理ユニットと、を備える表示装置であって、
前記走査モード判断装置は、前記映像信号の走査モードがインターレース走査モードであるか否かを判断し、前記映像信号の前記走査モードが前記インターレース走査モードであると判断したときに、前記表示モジュールの輝度を上げることを特徴とする表示装置。
【請求項９】
前記映像処理ユニットは、映像モード判断装置をさらに備え、
前記映像モード判断装置は、前記映像信号の前記走査モードが前記インターレース走査モードでないときに、前記映像信号の水平走査周波数および垂直走査周波数に基づき、走査周波数表を調査して、前記映像信号の表示モードが映像モードであるか否かを判断し、前記映像信号の前記表示モードが映像モードであるときに、前記表示モードの輝度を上げることを特徴とする請求項８に記載の表示装置。
【発明の詳細な説明】
【技術分野】
【０００１】
本発明は表示方法およびそれを用いた表示装置に関し、特に、表示装置の輝度を自動的に設定する方法およびその装置に関する。
【背景技術】
【０００２】
科学技術の発展に伴い、表示装置は次第に様々な分野に利用されるようになってきた。例えば、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）などのＡＶインタフェースと整合させることにより、現在の表示装置はビデオモード（ｖｉｄｅｏ  ｍｏｄｅ）（例えば、４８０ｉ、４８０ｐ、７２０ｐ、１０８０ｉ、１０８０ｐ）およびＰＣ（パーソナルコンピュータ）モード（ＰＣ  ｍｏｄｅ）（例えば、ＶＧＡ、ＳＶＧＡ、ＸＧＡ、ＳＸＧＡ、ＵＸＧＡなど）を兼ね備えることができる。表示装置を異なる表示モードに設定して映像を表示するということは、ユーザが表示装置を異なる用途で使用することを意味する。例えば、表示装置を映像モードに設定するということは、通常ユーザがこの表示装置を娯楽用として使用することを意味するため、良好なコントラスト比を得るために、表示装置の輝度を高く設定する必要があった。一方、表示装置をＰＣモードに設定するときは、この表示装置をパーソナルコンピュータに接続し、表示装置が表示するコンピュータ画面が目を刺激しないように、輝度を低く設定する必要があった。しかし、現在の表示装置は、表示モードの違いに応じて異なる輝度に自動的に設定することができないため、ユーザが表示装置を様々な表示モードで使用する際、間違った表示モードの輝度に設定され、ユーザの目を不快にさせる虞があった。
【発明の概要】
【発明が解決しようとする課題】
【０００３】
そのため、表示モードの違いに応じ、異なる輝度に表示モジュールを設定することができる表示装置の輝度の制御方法およびその装置が求められていた。
【０００４】
本発明は、上記問題点を鑑みてなされたものであり、表示モードの違いに応じて、最適な輝度に表示モジュールを自動的に設定することが可能な表示方法およびそれを用いた表示装置を提供することを目的とする。
【課題を解決するための手段】
【０００５】
上記目的を達成するため、請求項１の発明は、映像の水平走査周波数および垂直走査周波数を取得するステップと、前記水平走査周波数および前記垂直走査周波数に基づき、前記映像の表示モードを取得するステップと、前記映像の前記表示モードが第１のモードであるとき、表示モジュールの輝度を第１の輝度に設定し、前記表示モジュールが前記第１の輝度を用いて前記映像を表示するステップと、前記映像の前記表示モードが第２のモードであるとき、前記表示モジュールの輝度を第２の輝度に設定し、前記表示モジュールが前記第１の輝度よりも明るい前記第２の輝度を用いて前記映像を表示するステップと、を含むものである。
【０００６】
請求項２の発明は、前記映像の前記表示モードを取得するステップは、前記水平走査周波数および前記垂直走査周波数に基づき、走査周波数表を調査して、前記映像の前記表示モードを取得することを含むものである。
【０００７】
請求項３の発明は、請求項１の発明において、前記映像の前記表示モードを取得する前に、前記映像の走査モードがインターレース走査モードであるか否かを判断するステップと、前記映像の前記走査モードが前記インターレース走査モードである場合、前記表示モジュールの輝度を前記第２の輝度に設定し、前記表示モジュールが前記第２の輝度を用いて前記映像を表示するステップと、をさらに含むものである。
【０００８】
請求項４の発明は、表示モジュールと、映像信号を受信するために用いられる映像信号受信装置と、映像モード判断装置を有する映像処理ユニットと、を備える表示装置であって、前記映像モード判断装置は、前記映像信号の水平走査周波数および垂直走査周波数に基づき、走査周波数表を調査して、前記映像信号の表示モードを判断し、前記映像信号の表示モードが第１のモードであるときに、前記表示モジュールの輝度を第１の輝度に設定し、前記映像信号の前記表示モードが第２のモードであるときに、前記表示モジュールの輝度を、前記第１の輝度よりも明るい第２の輝度に設定するものである。
【０００９】
請求項５の発明は、表示モジュールに映像を表示するステップと、前記映像の走査モードがインターレース走査モードであるか否かを判断するステップと、前記映像の前記走査モードが前記インターレース走査モードであるときに、前記表示モジュールの輝度を上げるステップと、を含むものである。
【００１０】
請求項６の発明は、請求項５の発明において、前記映像の水平走査周波数および垂直走査周波数を取得するステップと、前記映像の前記走査モードが前記インターレース走査モードでないとき、前記水平走査周波数および前記垂直走査周波数に基づき、前記映像の表示モードが映像モードであるか否かを判断するステップと、前記映像の前記表示モードが前記映像モードであるときに、前記表示モジュールの輝度を上げるステップと、をさらに含むものである。
【００１１】
請求項７の発明は、請求項６の発明において、前記映像の前記表示モードが前記映像モードであるか否かを判断するステップは、前記水平走査周波数および前記垂直走査周波数に基づき、走査周波数表を調査して、前記映像の前記表示モードが前記映像モードであるか否かを判断することを含むものである。
【００１２】
請求項８の発明は、表示モジュールと、映像信号を受信するために用いられる映像信号受信装置と、走査モード判断装置を有する映像処理ユニットと、を備える表示装置であって、前記走査モード判断装置は、前記映像信号の走査モードがインターレース走査モードであるか否かを判断し、前記映像信号の前記走査モードが前記インターレース走査モードであると判断したときに、前記表示モジュールの輝度を上げるものである。
【００１３】
請求項９の発明は、請求項８の発明において、前記映像処理ユニットは、映像モード判断装置をさらに備え、前記映像モード判断装置は、前記映像信号の前記走査モードが前記インターレース走査モードでないときに、前記映像信号の水平走査周波数および垂直走査周波数に基づき、走査周波数表を調査して、前記映像信号の表示モードが映像モードであるか否かを判断し、前記映像信号の前記表示モードが映像モードであるときに、前記表示モードの輝度を上げるものである。
【発明の効果】
【００１４】
本発明の表示方法および表示装置によれば、水平走査周波数および垂直走査周波数又は走査モードに基づいて表示モードを判断し、各表示モードごとに最適な輝度に表示モジュールを自動的に設定することができる。これにより、ユーザは、輝度の設定について特に意識することなく、最適な輝度で表示装置を使用することができ、表示装置の使い勝手を高めることができる。
【図面の簡単な説明】
【００１５】
【図１】本発明の一実施形態による表示方法を示す流れ図である。
【図２】本発明の一実施形態による表示モジュールの構成を示すブロック図である。
【図３】本発明の他の実施形態による表示装置の構成を示すブロック図である。
【図４】本発明のさらに他の実施形態による表示方法を示す流れ図である。
【図５】本発明のまたさらに他の実施形態による表示装置の構成を示すブロック図である。
【発明を実施するための形態】
【００１６】
図１を参照する。図１は、本発明の一実施形態による表示方法を示す流れ図である。この表示方法は、表示モードの違いに応じ、表示モジュールの輝度を設定する。また、この表示方法は、表示装置のバックライトの輝度を制御する方法に関する。この表示方法には、以下の（１）〜（４）のステップが含まれる（ここで、本実施形態で述べるステップは、特にその順番が説明されている場合を除き、実際の必要に応じてその順番の前後を入れ替えることできる上、それらのステップの全てまたは一部を同時に実行することもできる）。
【００１７】
（１）映像の水平走査周波数および垂直走査周波数を取得する（＃１０１）。この後の＃１０２および＃１０３に関しては、後述する。
（２）映像の水平走査周波数および垂直走査周波数に基づき、映像の表示モードを判定する（＃１０４）。
（３）映像の表示モードが第１のモードのとき、表示モジュールの輝度を第１の輝度に設定し、表示モジュールが第１の輝度を用いて映像を表示する（＃１０５）。
（４）映像の表示モードが第２のモードのとき、表示モジュールの輝度を第２の輝度に設定し、表示モジュールが第２の輝度を用いて映像を表示する（＃１０６）。ここで、第２の輝度とは、第１の輝度よりも明るい輝度を示すものとする。
【００１８】
より具体的に説明すると、＃１０４では、表示モードの違いに応じ、水平走査周波数と垂直走査周波数との組合せが異なることに着目して、水平走査周波数および垂直走査周波数により映像の表示モードを取得する。また、＃１０４において、走査周波数表を調査することにより映像の表示モードを取得する。ここで、この走査周波数表はメモリに予め記憶させることによりいつでも参照することができる。実際上、＃１０４において、水平走査周波数および垂直走査周波数を走査周波数表の各周波数と比較し、映像の表示モードを取得する。例えば、走査周波数表によれば水平走査周波数が１５．７３ｋＨｚであり、垂直走査周波数が５９．９４Ｈｚの場合の表示モードは、ビデオモード下における４８０／６０ｉである。
【００１９】
本実施形態では、第１モードをＰＣモード（ＰＣ  ｍｏｄｅ）とみなし、第２モードをビデオモード（ｖｉｄｅｏ  ｍｏｄｅ）とみなし、表示モジュールを表示装置の一部品とみなすことができる。ユーザは、ＰＣモードでは表示装置の近くに位置し、映像モードでは表示装置から遠くに位置している。そのため、ＰＣモードであるとき、表示装置の輝度を暗い第１の輝度に設定することにより、ユーザが表示装置に近づきすぎて、明るすぎる輝度で目が刺激されないようにする。映像モードのときは、表示装置の輝度を明るい第２の輝度に設定することにより、表示装置が好ましいカラー表現を得られるようにする。
【００２０】
図２を参照する。図２は、本実施形態による表示モジュール２００の構成を示すブロック図である。表示モジュール２００の例としては、液晶表示装置（Ｌｉｑｕｉｄ  Ｃｒｙｓｔａｌ  Ｄｉｓｐｌａｙ：ＬＣＤ）が挙げられる。表示モジュール２００は、駆動装置２１０、バックライトユニット２２０および液晶パネル２３０を含む。駆動装置２１０は、バックライトユニット２２０およびパネル２３０をそれぞれ駆動させるために用いられる。例えば、図１および図２に示すように、表示モジュール２００を図１の表示方法に応用した場合、＃１０５および＃１０６において、表示モジュール２００の駆動装置２１０により、表示モジュール２００のバックライトユニット２２０の輝度を調整する。より具体的に説明すると、＃１０５において、駆動装置２１０の駆動によりバックライトユニット２２０の輝度を第１の輝度にする。＃１０６において、駆動装置２１０の駆動によりバックライトユニット２２０の輝度を第２の輝度にする。他の種類の表示装置を表示モジュールとして使用した場合、＃１０５および＃１０６において、輝度パラメータを介して表示モジュールの輝度を調整することができる。このように、この表示方法は表示モードの違いに応じ、表示モジュールの輝度を設定することができる。
【００２１】
インターレース走査（ｉｎｔｅｒｌａｃｅ  ｓｃａｎ）モードは映像モード下における特有の走査モードであるため、映像の走査モードがインターレースモードである場合、この映像の表示モードが映像モードであると判断する。つまり、この表示方法には以下のステップが含まれてもよい。
【００２２】
（１．１）映像の表示モードを取得する前に、映像の走査モードがインターレース走査モードであるか否かを判断する（＃１０２）。
（１．２）映像の走査モードがインターレース走査モードである場合、表示モジュールの輝度を第２の輝度に設定し、表示モジュールが第２の輝度を用いて映像を表示する（＃１０３）。
【００２３】
このように、この表示方法は、走査モードを用いて映像の表示モードを判断する。
【００２４】
図３を参照する。図３は、本発明の他の実施形態による表示装置の構成を示すブロック図である。この表示装置には、表示モジュール３２０、映像信号受信装置３４０および映像処理ユニット３６０が含まれる。映像信号受信装置３４０は、映像信号を受信するために用いられる。映像処理ユニット３６０には映像モード判断装置３６６が含まれる。映像モード判断装置３６６は、映像信号の水平走査周波数および垂直走査周波数に基づき、走査周波数表３８２を調査して映像信号の表示モードを判断する。走査周波数表３８２は、メモリ３８０に予め記憶させることができる。映像信号の表示モードが第１のモードである場合、表示モジュール３２０の輝度を第１の輝度に設定する。映像信号の表示モードが第２のモードであるとき、表示モジュール３２０の輝度を第１の輝度よりも明るい第２の輝度に設定する。このように、表示モードの必要に応じ、表示モジュールを異なる輝度に設定させることができる。
【００２５】
実際上、映像信号受信装置３４０は、ある特定の映像伝送インターフェースとして設計してもよい。例えば、映像伝送インターフェースの一例としてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を挙げることができるが、このインターフェースに限定されることなく、ＤＶＩ（Ｄｉｇｉｔａｌ  Ｖｉｓｕａｌ  Ｉｎｔｅｒｆａｃｅ）、ディスプレイポート（ｄｉｓｐｌａｙ  ｐｏｒｔ）または他の映像インターフェースでもよい。映像処理ユニット３６０は、ＭＣＵ（Ｍｉｃｒｏｐｒｏｃｅｓｓｏｒ  Ｃｏｎｔｒｏｌ  Ｕｎｉｔ）機能を備えた映像スケーリング処理装置（ｓｃａｌｅｒ）でもよい。走査周波数表３８２はメモリ３８０内に記憶させることができる。
【００２６】
さらに、表示モジュール３２０が液晶表示装置である場合、表示駆動モジュール（駆動装置）を駆動させてバックライトユニットを調整してもよい。表示モジュール３２０が液晶表示装置でない場合、その表示する輝度パラメータを調整すると、表示モジュール３２０の輝度を調整することができる。
【００２７】
本実施形態においても、第１のモードをＰＣモードとみなし、第２のモードを映像モードとみなすことができる。映像モードを使用するときは、表示モジュールが好ましい色彩を得ることができるように、通常ＰＣモードよりも輝度を高くしなければならない。ＰＣモードを使用する場合、例えば、映像モード（例えば、テレビの機能）と同じ輝度を使用した場合、ユーザが表示モジュールに近すぎるため、従来の技術においてはユーザの目に刺激を与える虞があった。しかしながら、本発明によれば、表示モードに合わせて表示モジュールの輝度を自動的に設定するので、このような問題は生じない。
【００２８】
このように、本発明の方法は、映像信号の表示モードの違いに応じて表示モジュールの輝度を最適なものに自動的に設定することができるため、ユーザはより快適に使用することができる。
【００２９】
また、インターレース走査モードは、映像モード下における特有の走査モードである。そのため、映像モード判断装置３６６は、映像の走査モードがインターレース走査モードであるか否かを判断することにより、表示モードを判別できる。映像の走査モードがインターレース走査モードであると判断された場合、表示モードが映像モード（第２のモード）であると判断し、表示モジュール３２０の輝度を第２の輝度に設定し、表示モジュール３２０が第２の輝度を用いて映像を表示する。このように、映像の表示モードが映像モードであるとき、表示装置は走査周波数表を調査しなくとも、その表示モードを知得して最適な輝度に設定することができる。
【００３０】
図４を参照する。図４は、本発明のさらに他の実施形態による表示方法を示す流れ図である。インターレース走査モードは映像モード下で特有の走査モードであるため、この表示方法は、走査モードを判断することにより、表示装置の輝度を制御することができる。この表示方法には、以下のステップが含まれる（ここで、本実施形態で述べるステップは、特にその順番が説明されている場合を除き、実際の必要に応じてその順番の前後を入れ替えることできる上、それらのステップの全てまたは一部を同時に実行することもできる）。
【００３１】
（１）表示モジュールで映像を表示する（＃４０１）。
（２）映像の走査モードがインターレース走査モードであるか否かを判断する（＃４０２）。
（３）映像の走査モードがインターレース走査モードであるとき、表示モジュールの輝度を上げる（＃４０３）。
【００３２】
ここで、この表示方法を液晶表示装置に応用する場合、＃４０３において、表示モジュールの駆動装置を駆動させ、バックライトユニットモジュールの輝度を調整し、液晶表示装置の輝度を上げる。また、この表示方法を液晶表示装置以外の表示装置に応用する場合、＃４０３において、輝度パラメータを介して表示装置の輝度を上げることができる。
【００３３】
そのため、本発明の方法は、映像の走査モードがインターレース走査モードであるときに、この方法を利用して表示装置の輝度を上げ、ユーザが映像モードで見るときの輝度が好適となるように調整する。
【００３４】
さらに、この映像の走査モードがインターレース走査モードでない場合であっても表示モードが映像モードである場合もあり得る。そのため、映像の走査モードがインターレース走査モードでないとき、この表示方法には、以下のステップ（４）〜（６）が含まれてもよい。
【００３５】
（４）映像の水平走査周波数および垂直走査周波数を取得する（＃４０４）。
【００３６】
（５）水平走査周波数および垂直走査周波数に基づき、映像の表示モードが映像モードであるか否かを判断する（＃４０５）。
【００３７】
（６）映像の表示モードが映像モードであるとき、表示モジュールの輝度を上げる（＃４０６）。一方、映像の表示モードが映像モードでなければ、表示モジュールの輝度を下げるか現状の輝度を維持する（＃４０７）。
【００３８】
＃４０５において、表示モードの違いに応じ、水平走査周波数と垂直走査周波数との組み合わせも異なるため、水平走査周波数および垂直走査周波数の両者を判断対象とすることにより、映像の表示モードを取得する。さらに、＃４０５において、メモリ内に記憶させた走査周波数表を調査することにより、映像の表示モードを取得する。実際上、水平走査周波数および垂直走査周波数を走査周波数表内の各周波数と比較し、映像の表示モードを取得する。
【００３９】
例えば、走査周波数表の各種周波数を参照すると、水平走査周波数は１５．７３ｋＨｚであり、垂直走査周波数は５９．９４Ｈｚの表示モードが映像モード下における４８０／６０ｉである。このように、本発明は、映像の表示モードが映像モードであるとき、この走査周波数表を参照することにより表示装置の輝度を上げることができる。
【００４０】
図５を参照する。図５は、本発明のまたさらに他の実施形態による表示装置の構成を示すブロック図である。この表示装置は、表示モジュール５１０、映像信号受信装置５２０および映像処理ユニット５３０を含む。映像信号受信装置５２０は、映像信号を受信するために用いられる。映像処理ユニット５３０は、走査モード判断装置５３２を含む。走査モード判断装置５３２は、受信した映像信号がどの種類の表示モードであるかを判断するために用いられる。さらに、走査モード判断装置５３２は、映像信号の走査モードがインターレース走査モードであるか否かを判断するために用いられる。映像信号の走査モードがインターレース走査モードであると判断すると、表示モジュール５１０の輝度を上げる。
【００４１】
実際上、映像信号受信装置５２０は、ある特定の映像伝送インターフェース（例えば、これはＨＤＭＩであるが、この映像信号だけに限定されるわけではない）に対して設計を行うことができる。映像伝送インターフェースには、ＨＤＭＩ、ＤＶＩ、表示ポートまたは他の映像伝送インターフェースを用いてもよい。映像処理ユニット５３０は、ＭＣＵ（Ｍｉｃｒｏｐｒｏｃｅｓｓｏｒ  Ｃｏｎｔｒｏｌ  Ｕｎｉｔ）でもよい。
【００４２】
この表示装置は、映像の走査モードがインターレース走査モードであるとき、表示モジュール５１０の輝度を上げ、映像モードの表示に適する輝度に適合させることができる。
【００４３】
さらに、この映像信号の走査モードがインターレース走査モードでないとき、この映像信号の表示モードを映像モードにしてもよい。そのため、この表示装置の映像処理ユニット５３０は、映像モード判断装置５３４を含んでもよい。映像モード判断装置５３４を映像信号の走査モードがインターレース走査モードでないときに用いると、映像信号の水平走査周波数および垂直走査周波数に基づき、走査周波数表５４０を調査して、映像信号の表示モードが映像モードであるか否かを判断する。この走査周波数表５４０は、メモリ５３８内に記憶される。そして、映像信号の表示モードが映像モードであるとき、表示モジュール５１０の輝度を上げる。
【００４４】
表示モジュール５１０が液晶表示装置であるとき、表示モジュール５１０は、駆動装置５１１、バックライトユニット５１２および液晶パネル５１３を含んでもよい。駆動装置５１１を用いると、バックライトユニット５１２および液晶パネル５１３をそれぞれ駆動させることができる。さらに、駆動装置５１１は、パネル駆動装置５１４およびバックライト駆動装置５１５を含んでもよい。表示モジュール５１０が表示映像輝度を調整する方式は、パネル駆動装置５１４およびバックライト駆動装置５１５を介してバックライトユニット５１２の輝度を駆動させ、映像モードの輝度に合致するように表示モジュール５１０の輝度を上げることができる。
【００４５】
当該技術分野の当業者が実施できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００４６】
２００  表示モジュール
２１０  駆動装置
２２０  バックライトユニット
２３０  液晶パネル
３２０  表示モジュール
３４０  映像信号受信装置
３６０  映像処理ユニット
３６６  映像モード判断装置
３８０  メモリ
３８２  走査周波数表
５１０  表示モジュール
５１１  駆動装置
５１２  バックライトユニット
５１３  液晶パネル
５１４  パネル駆動装置
５１５  バックライト駆動装置
５２０  映像信号受信装置
５３０  映像処理ユニット
５３２  走査モード判断装置
５３４  映像モード判断装置
５３８  メモリ
５４０  走査周波数表
【図１】
2010061094.tif 000003
【図２】
2010061094.tif 000004
【図３】
2010061094.tif 000005
【図４】
2010061094.tif 000006
【図５】
2010061094.tif 000007